(57)【要約】【課題】配管のためのスペースを減らし、同時に施工の手間を省くことができる間仕切構造を提供する。【解決手段】建物の基礎２０上に支持された床パネル３０と、前記床パネル３０の上で屋内を区画する間仕切壁を構成する間仕切パネル４０とからなり建物の配管６０が配設される間仕切構造である。床パネル３０のうちの一枚は配管６０を貫通させるための配管貫通孔５５が基礎２０（布基礎２１、束基礎２２）上に支持された際に基礎２０と上下に重ならない位置に設けてある配管貫通用の床パネル５０である。間仕切パネル４０の内の一枚は下端部に配管６０を通過させる配管通過穴７４を有するとともに内部に配管６０を収納する配管スペース７５を有しかつ配管貫通用の床パネル５０上に配管貫通孔５５と配管通過穴７４とが一致するよう配置される配管収納用間仕切パネル７０である。【選択図】      図１
2004176449.tif 000002
【特許請求の範囲】
【請求項１】
建物の基礎上に支持された床パネルと、前記床パネルの上で屋内を区画する間仕切壁を構成する間仕切パネルとからなり建物の配管が配設される間仕切構造であって、
前記床パネルのうちの一枚は前記配管を貫通させるための配管貫通孔が前記基礎上に支持された際に前記基礎と上下に重ならない位置に設けてある配管貫通用の床パネルであり、
前記間仕切パネルのうちの一枚は下端部に前記配管を通過させる配管通過穴を有するとともに内部に前記配管を収納する配管スペースを有しかつ前記配管貫通用の床パネル上に前記配管貫通孔と前記配管通過穴とが一致するよう配置される配管収納用間仕切パネルであることを特徴とする間仕切構造。
【請求項２】
前記配管収納用間仕切パネルの上階には水回り系の設備が設けられ、前記配管の少なくとも一本は前記上階の水回り系の設備の配管であることを特徴とする請求項１記載の間仕切構造。
【請求項３】
前記配管の少なくとも一本は給水用の配管であり、前記配管収納用間仕切パネルの少なくとも一方の壁面に前記給水用の配管につながる蛇口を有する洗面台を備えることを特徴とする請求項１または２記載の間仕切構造。
【請求項４】
前記配管の少なくとも一本は給水用の配管であり、前記配管収納用間仕切パネルの少なくとも一方の壁面に前記給水用の配管につながる蛇口を備え、前記配管貫通用の床パネルは前記蛇口の下方に防水パンを備えることを特徴とする請求項１または２記載の間仕切構造。
【請求項５】
前記配管収納用間仕切パネルは矩形枠状であって、前記配管貫通用の床パネルの上に前記配管収納用間仕切パネルを配設した後に前記配管収納用間仕切パネルの両面に面材を取り付けて間仕切壁とすることを特徴とする請求項１〜４いずれか一項記載の間仕切構造。
【請求項６】
請求項５の配管収納用間仕切パネルを使用して配管を配設する施工方法であって、
前記配管を貫通させるための配管貫通孔が前記基礎上に支持された際に前記基礎と上下に重ならない位置に設けてある配管貫通用の床パネルを前記基礎上に配設し、
下端部に前記配管を通過させる配管通過穴を有する配管収納用間仕切パネルを、前記配管貫通用の床パネル上に前記配管貫通孔と前記配管通過穴とが一致するよう配置し、
前記配管を前記配管貫通孔と前記配管通過穴とに通して配設し、前記配管収納用間仕切パネルの両面に面材を取り付けて間仕切壁とすることを特徴とする施工方法。
【発明の詳細な説明】
【０００１】
【発明の属する技術分野】
本発明は、間仕切構造及び施工方法に関する。
【０００２】
【背景の技術】
従来、工業化住宅の一つとして、床・壁・屋根等の構造材を予め工場等でパネル化し、施工現場でこれらのパネルを組み立てることにより住宅を構築するパネル工法が採用されている。
前記パネルとしては、例えば、桟材を矩形枠状に組み立て、この矩形枠内に必要に応じて補強桟材を縦横に組み付け、両面もしくは片面に合板等の面材を貼りつけたものが知られている。工場で床用・壁用・屋根用等のパネルがそれぞれ組み立てられ、トラック等で施工現場に運び込まれる。建築現場では、パネルの配設とパネル間の接合作業を行うだけで、短期間で床・壁・屋根等の住宅の基本構造を構築することができる。
【０００３】
住宅の間取りにおいては、浴室、洗面所、トイレ及び台所などの水回り設備は、異なる階でほぼ同位置となるように設計されており、下階には上階への給水管や、上階からの排水管等が設けられる。これらの配管が露出している状態は室内の外観品質を損ない、また埃が溜まりやすくなるので、通常はパイプスペースを設けて下階の配管と共にまとめて納められている。
図７はこのような配管が配置された下階の洗面所の平面図である。洗面台１と壁２との間にパイプスペース３を設けており、パイプスペース３の内部には洗面台用や上階用の配管が収納されている。
【０００４】
パイプスペースを設ける代わりに、例えば洗面台と洗濯機の間のデッドスペースに配管を設け、配管を隠すように間仕切を設ける間仕切構造もあった（例えば、特許文献１）。また、壁の内部に配管を設けてパイプスペースを省略する間仕切構造もあった（例えば、特許文献２）。
【０００５】
【特許文献１】
特開平１１−１３１６４６号公報
【特許文献２】
特開平１０−３２５２３４号公報
【０００６】
【発明が解決しようとする課題】
しかし従来の方法ではパイプスペースのための空間を設ける必要があり、部屋が狭くなるという問題があった。特許文献１の間仕切構造でも、既に存在する配管を隠すために新たに壁を設ける必要があり、新たなスペースが必要となった。
また特許文献２の間仕切構造では、配管を収納する壁の直下に基礎及び土台があり、配管が床下に抜けるためには基礎及び土台に欠設部を設けなければならなかった。
【０００７】
本発明は上記事情に鑑みてなされたもので、間仕切構造において、配管のためのスペースを減らし、同時に施工の手間を省くことができる間仕切構造を提供することを目的とする。
【０００８】
【課題を解決するための手段】
上記目的を達成するために、本発明の請求項１の間仕切構造は、図１及び図２に示すように、建物の基礎２０（布基礎２１、束基礎２２）上に支持された床パネル３０と、前記床パネル３０の上で屋内を区画する間仕切壁を構成する間仕切パネル４０とからなり建物の配管６０が配設される間仕切構造であって、
前記床パネル３０のうちの一枚は前記配管６０を貫通させるための配管貫通孔５５が前記基礎２０（布基礎２１、束基礎２２）上に支持された際に前記基礎２０（布基礎２１、束基礎２２）と上下に重ならない位置に設けてある
配管貫通用の床パネル５０であり、
前記間仕切パネル４０のうちの一枚は下端部に前記配管６０を通過させる配管通過穴７４を有するとともに内部に前記配管６０を収納する配管スペース７５を有しかつ前記配管貫通用の床パネル５０上に前記配管貫通孔５５と前記配管通過穴７４とが一致するよう配置される配管収納用間仕切パネル（枠パネル７０）であることを特徴とする。
【０００９】
請求項１の間仕切構造においては、前記配管６０は配管収納用間仕切パネル７０の配管スペース７５に収納されるので、配管６０のためのパイプスペースを省略することができる。したがって、間仕切壁の両側いずれかの部屋の間取りを広くすることができる。
また、配管貫通孔５５は配管貫通用の床パネル５０が基礎２０（布基礎２１または束基礎２２）上に支持された際に基礎２０（布基礎２１、束基礎２２）と上下に重ならない位置に設けてあるので、基礎２０（布基礎２１または束基礎２２）に切欠き等を設ける必要がない。また配管収納用間仕切パネル７０を、配管貫通用の床パネル５０の上に前記配管貫通孔５５と前記配管通過穴７４とを一致させるように配設するので、配管収納用間仕切パネル７０の位置決めを容易に行うことができ、施工の手間を省くことができる。
【００１０】
請求項２記載の間仕切構造は、請求項１記載の間仕切構造であって、前記配管収納用間仕切パネル７０の上階には水回り系の設備が設けられ、前記配管６０の少なくとも一本は前記上階の水回り系の設備の配管であることを特徴とする。
【００１１】
前記水回り系の設備とは、例えば、戸建ての住宅の場合には、上階に配置されたトイレ、洗面所、浴室、キッチン等のことである。また、２階建て以上のアパート等の集合住宅等においては、下階の住戸の所定の場所に、洗面所や洗濯機置き場等を配置した場合、該下階の住戸の洗面所や洗濯機置き場の直上には、上階の住戸の洗面所や洗濯機置き場が配置されるので、この上階の住戸の洗面所や洗濯機置き場も、前記水回り系の設備である。
【００１２】
請求項２の間仕切構造においては、請求項１と同様の効果を得られることに加えて、前記配管収納用間仕切パネル７０の上階に水回り系の設備が設けられている場合にも、上階に通じる配管用のスペースを設ける必要が無く、間仕切壁の両側いずれかの部屋の間取りを広くすることができる。
【００１３】
請求項３記載の発明は、図２に示すように、請求項１または２記載の間仕切構造であって、前記配管６０の少なくとも一本は給水用の配管（給水管６１）であり、前記配管収納用間仕切パネル７０の少なくとも一方の壁面に前記給水用の配管６１につながる蛇口８１を有する洗面台８０を備えることを特徴とする。
【００１４】
請求項３の間仕切構造においては、請求項１または２と同様の作用効果を得ることができるのはもちろんのこと、前記配管収納用間仕切パネル７０の内部に洗面台８０用の配管を通すことができ、洗面所を広くすることができる。なお、前記配管６０の少なくとも一本は給湯用の配管としてもよい。また洗面台の排水管は配管収納用間仕切パネル７０の中に通してもよいし、洗面台８０の直下の配管貫通用の床パネル５０から床下に貫通させてもよい。
【００１５】
請求項４記載の発明は、図６に示すように、請求項１または２記載の間仕切構造であって、前記配管６０の少なくとも一本は給水用の配管（給水管６１）であり、前記配管収納用間仕切パネル７０の少なくとも一方の壁面に前記給水用の配管６１につながる蛇口９１を備え、前記配管貫通用の床パネル５０は前記蛇口９１の下方に防水パン９２を備えることを特徴とする。
【００１６】
請求項４の間仕切構造においては、請求項１または２と同様の作用効果を得ることができるのはもちろんのこと、洗濯機給水用の配管を配管収納用パネル７０の内部に収納して洗濯機置き場を広くすることができる。
【００１７】
請求項５の間仕切構造は、図４及び図５に示すように、請求項１〜４いずれか一項記載の間仕切構造であって、前記配管収納用間仕切パネル７０は矩形枠状であって、前記配管貫通用の床パネル５０の上に前記配管収納用間仕切パネル（枠パネル７０）を配設した後に前記配管収納用間仕切パネル（枠パネル７０）の両面に面材７６を取り付けて間仕切壁とするものである。
【００１８】
請求項５の間仕切構造においては、請求項１〜４いずれか一項と同様の効果が得られることに加えて、前記枠パネル７０を前記配管貫通用の床パネル５０の上に配設するため、前記配管貫通孔５５と前記配管通過穴７４とを容易に合わせることができる。また面材７６が取り付けられていない状態で、容易に配管６０を配設することができる。
【００１９】
請求項６の施工方法は、図４及び図５に示すように、請求項５記載の配管収納用間仕切パネル７０を使用して配管６０を配設する施工方法であって、
前記配管６０を貫通させるための配管貫通孔５５が前記基礎２０（布基礎２１、束基礎２２）上に支持された際に前記基礎２０（布基礎２１、束基礎２２）と上下に重ならない位置に設けてある配管貫通用の床パネル５０を前記基礎２０（布基礎２１、束基礎２２）上に配設し、
下端部に前記配管６０を通過させる配管通過穴７４を有する配管収納用間仕切パネル７０を、前記配管貫通用の床パネル５０上に前記配管貫通孔５５と前記配管通過穴７４とが一致するよう配置し、
前記配管６０を前記配管貫通孔５５と前記配管通過穴７４とに通して配設し、前記配管収納用間仕切パネル７０の両面に面材７６を取り付けて間仕切壁とするものである。
【００２０】
請求項６の施工方法においては、配管６０を貫通させるための配管貫通孔５５が前記基礎２０（布基礎２１、束基礎２２）上に支持された際に前記基礎２０（布基礎２１、束基礎２２）と上下に重ならない位置に設けてあるため、基礎２０（布基礎２１、束基礎２２）に切欠き等を設ける必要が無い。また配管貫通用の床パネル５０の上に枠パネル７０を配置するので、配管貫通孔５５と配管通過穴７４とを目視で一致させることができ、位置決めを容易に行うことができ、施工の手間を省くことができる。また配管６０は配管収納用間仕切パネル７０の配管スペース７５に収納されるので、配管６０のためのスペースを減らすことができ、間仕切壁の両側いずれかの部屋の間取りを広くすることができる。
【００２１】
【発明の実施の形態】
以下図面を参照して本発明の間仕切構造の実施の形態例について説明する。
図１は、本発明に係る間仕切構造の例を水平方向から見た側面図である。図２は、本発明に係る間仕切構造を用いた例として洗面台８０を有する洗面所を示す斜視図である。図１、２に示すように、地面１０の上に布基礎２１と束基礎２２とが設置されている。束基礎２２はベースコンクリート２３、束金物２４、大引２５とからなり、地面の上に設置されたベースコンクリート２３の上に束金物２４が取り付けられ、束金物２４が大引２５を支持している。
図２において、各床パネル３０は両端を布基礎２１、２１に、中央部を束基礎２２の上に支持されて並んでおり、そのうちの１枚が配管貫通用の床パネル５０となっている。
【００２２】
床パネル３０はあらかじめ工場で組み立てられるもので、例えば図３で示すように、枠材５１の上面に合板などの面材５２を取り付けたものが挙げられる。枠材５１は、桟材５３を矩形に組み付け、内部に補強桟材５４を縦横に組み付けて作られる。この補強桟材５４は、十分な強度が得られるときには、無くてもよい。
配管貫通用の床パネル５０は床パネル５０と同様、工場で組み立てられるものであるが、上面の面材５２に、配管貫通孔５５が空いている。
【００２３】
配管貫通孔５５は配管貫通用の床パネル５０を基礎２０（布基礎２１、束基礎２２）上に固定した際に、基礎２０（布基礎２１、束基礎２２）と上下に重ならない位置になるように空いており、配管貫通孔５５に配管６０を貫通させる際に布基礎２１及び束基礎２２がじゃまにならないようになっている。
配管貫通用の床パネル５０の上に配管収納用間仕切パネルを直立させて、洗面所と他の部屋とを区画する間仕切りの一部を構成する。
【００２４】
次に、配管収納用間仕切パネルについて図４で説明する。配管収納用間仕切パネルは面材の無い枠パネル７０であり、あらかじめ工場で組み立てられる。桟材７２を矩形に組み付けることで枠材７１を形成し、必要に応じてこの枠材７１の内部に補強桟材７３を縦横に組み付けている。さらに枠パネル７０は、枠材７１の上下端及び横方向に組みつけられた補強桟材７３に開口（配管通過穴７４）を有しており、下から上へ配管を通すようになっている。なおこの開口は穴でなくとも切欠きであってもよい。
枠材７１や桟材７２、補強桟材７３との間の空間が配管スペース７５となる。
【００２５】
現場では図５に示すように、上記枠パネル７０の配管通過穴７４に配管６０を通し、両面に面材７６を貼り付けて間仕切壁とする。面材７６は必要に応じて配管６０を間仕切壁の外へ出すための穴７７などを有する。なお前記枠パネル７０の両面に貼り付ける面材７６として石膏ボードを用いて、その上に仕上げとしてクロスを取り付けてもよい。石膏ボードには防音性があり、枠パネル７０内の配管スペース７５に配管６０を通しても、配管６０内の雑音が石膏ボードによって遮音されるので、雑音が洗面所内に響くのを防止することができる。
【００２６】
間仕切構造は以下のようにして取り付ける。まず、図４に示すように、配管貫通用の床パネル５０は他の床パネル３０と同様に、枠材５１の両端の桟材５３の部分を布基礎２１の上に配置し、中央の補強桟材５４を束基礎２２の大引２５上に配置し、固定する。
次に、配管貫通用の床パネル５０の上に枠パネル７０を配設する。このとき、配管貫通用の床パネル５０の配管貫通孔５５と、枠パネル７０の下部の配管通過穴７４とが一致するようにする。
【００２７】
次に、図５に示すように、配管貫通孔５５がくる位置の真下にあらかじめ設けておいた配管６０を配管貫通孔５５と配管通過穴７４とに通す。配管貫通孔５５は布基礎２１や束基礎２２の大引２５、及び大引２５上の補強桟材５４とは上下に重ならない位置にあるので、布基礎２１や大引２５、及び補強桟材５４に切欠き等を設けずに配管６０を床下から床上へ貫通させることができる。
【００２８】
次に、配管貫通孔５５と配管通過穴７４とを通り床上に出ている配管６０を補助桟材７４の配管通過穴７４を通るまで延長する。この配管６０のうちの少なくとも一本は給水用の配管であり、外側に直角に折り曲げられて壁面から突出し、洗面台８０の一部を構成する蛇口８１を取り付けるための給水管６１となる。また、配管６０をさらに上へ延長して枠パネル７０の上端の配管通過穴７４を通し、上階の水回り設備の配管としてもよい。
【００２９】
配管貫通用の床パネル５０の上に設置して配管６０を通した枠パネル７０の両面に面材７６を取り付けて配管収納用間仕切パネル７０とする。そして、折り曲げられた配管６０が面材７６に設けられた穴７７から突出し、この突出した部分に蛇口８１が取り付けられる。
【００３０】
さらに、図２に示すように、蛇口８１の下部には洗面シンク８２を有する洗面台８０が設けられ、蛇口８１よりも上側の壁面には鏡８３や照明８４などが設けられる。なお蛇口８１、洗面シンク８２、鏡８３及び照明８４が一体に構成された洗面台ユニットを用いてもよい。
なお、前記配管６０の少なくとも一本は給湯用の配管としてもよい。また洗面台の排水管は枠パネル７０の中に通してもよいし、洗面台８０の直下の配管貫通用の床パネル５０から床下に貫通させてもよい。
【００３１】
また鏡８３の右側の壁面には配管６０を避けて収納部８５が設けられており、配管収納用間仕切パネル７０内のスペースを収納スペースとしても利用している。なお、収納部８５は鏡８３の右側に限らず配管スペース７５を避けて設けることができる。
【００３２】
このように、蛇口８１と洗面シンク８２を有する洗面台８０が配設された間仕切構造は、洗面台８０を有する洗面所として使用することができる。
また、配管収納用間仕切パネル７０を挟んで洗面所と反対側の空間を広くすることができ、他の水回り設備としてもよいし、また別の部屋となっていてもよいし、収納スペースとして利用してもよい。
【００３３】
図６は、本発明に係る間仕切構造の他の例として、洗濯機置き場を示す斜視図である。間仕切構造自体はほぼ洗面所の例と同一であるが、配管収納用間仕切パネル７０に設けられた蛇口９１は、洗濯機用のものとなっている。この蛇口９１から洗濯機９３の給水口に水が供給されるようになっている。また蛇口９１の下方にある配管貫通用の床パネル５０には防水パン９２があらかじめ設けられている。床下に設けた防水パンの排水管６２は配管貫通用の床パネルを貫通して防水パン９２の図示しない排水孔とつながっている。
防水パン９２の上には洗濯機９３が設置されるようになっている。
【００３４】
以上のような間仕切構造によれば、従来のようなパイプスペースを別途設ける必要がなく、配管のためのスペースを減らすことができる。また、配管貫通用の床パネル５０の配管貫通孔５５と配管収納用間仕切パネル７０の配管通過穴７４とを合わせて組み付け、配管貫通孔５５と配管通過穴７４とに配管６０を通すので、配管貫通用の床パネル５０と配管収納用間仕切パネルとの位置決めを容易に行うことができる。
また、配管貫通孔５５は基礎２０（布基礎２１、束基礎２２）と上下に重ならない位置に設けてあるので、基礎２０（布基礎２１、束基礎２２）に配管６０を通すための孔や切欠き部を設ける必要がなく、施工が容易な間仕切構造とすることができる。
【００３５】
【発明の効果】
以上説明したように、本発明の請求項１に記載の間仕切構造によれば、前記配管６０は配管収納用間仕切パネル７０の配管スペース７５に収納されるので、配管６０のためのパイプスペースを省略することができる。したがって、間仕切壁の両側いずれかの部屋の間取りを広くすることができる。
また、配管貫通孔５５は配管貫通用の床パネル５０が基礎２０（布基礎２１または束基礎２２）上に支持された際に基礎２０（布基礎２１、束基礎２２）と上下に重ならない位置に設けてあるので、基礎２０（布基礎２１または束基礎２２）に切欠き等を設ける必要がない。また配管収納用間仕切パネル７０を、配管貫通用の床パネル５０の上に前記配管貫通孔５５と前記配管通過穴７４とを一致させるように配設するので、配管収納用間仕切パネル７０の位置決めを容易に行うことができ、施工の手間を省くことができる。
【００３６】
請求項２の間仕切構造においては、請求項１と同様の効果を得られることに加えて、前記配管収納用間仕切パネル７０の上階に水回り系の設備が設けられている場合にも、上階に通じる配管用のスペースを設ける必要が無く、間仕切壁の両側いずれかの部屋の間取りを広くすることができる。
【００３７】
請求項３の間仕切構造においては、請求項１または２と同様の作用効果を得ることができるのはもちろんのこと、前記配管収納用間仕切パネル７０の内部に洗面台８０用の配管を通すことができ、洗面所を広くすることができる。
【００３８】
請求項４の間仕切構造においては、請求項１または２と同様の作用効果を得ることができるのはもちろんのこと、洗濯機給水用の配管を配管収納用パネル７０の内部に収納して洗濯機置き場を広くすることができる。
【００３９】
請求項５の間仕切構造においては、請求項１〜４いずれか一項と同様の効果が得られることに加えて、前記枠パネル７０を前記配管貫通用の床パネル５０の上に配設するため、前記配管貫通孔５５と前記配管通過穴７４とを容易に合わせることができる。また面材７６が取り付けられていない状態で、容易に配管６０を配設することができる。
【００４０】
請求項６の施工方法においては、配管６０を貫通させるための配管貫通孔５５が前記基礎２０（布基礎２１、束基礎２２）上に支持された際に前記基礎２０（布基礎２１、束基礎２２）と上下に重ならない位置に設けてあるため、基礎２０（布基礎２１、束基礎２２）に切欠き等を設ける必要が無い。また配管貫通用の床パネル５０の上に枠パネル７０を配置するので、配管貫通孔５５と配管通過穴７４とを目視で一致させることができ、位置決めを容易に行うことができ、施工の手間を省くことができる。また配管６０は配管収納用間仕切パネル７０の配管スペース７５に収納されるので、配管６０のためのスペースを減らすことができ、間仕切壁の両側いずれかの部屋の間取りを広くすることができる。
【図面の簡単な説明】
【図１】本発明の間仕切構造の実施の形態例を示す断面図である。
【図２】本発明の間仕切構造の実施の形態例として洗面所を示す斜視図である。
【図３】前記形態例の配管貫通用の床パネルの例を示す図である。
【図４】本発明の施工方法の実施の形態例を示す図である。
【図５】本発明の施工方法の実施の形態例を示す図である。
【図６】本発明の間仕切構造の実施の形態例として洗濯機置き場を示す斜視図である。
【図７】従来の洗面所を表す間取り図である。
【符号の説明】
１、８０  洗面台
２    壁
３    パイプスペース
１０  地面
２１  布基礎
２２  束基礎
３０  床パネル
４０  間仕切パネル
５０  配管貫通用の床パネル
５２、７６  面材
５５  配管貫通孔
６０  配管
６１  給水管
７０  配管収納用間仕切パネル（枠パネル）
７４  配管通過穴
７５  配管スペース
８１、９１  蛇口
９２  防水パン
【図１】
2004176449.tif 000003
【図２】
2004176449.tif 000004
【図３】
2004176449.tif 000005
【図４】
2004176449.tif 000006
【図５】
2004176449.tif 000007
【図６】
2004176449.tif 000008
【図７】
2004176449.tif 000009